(57)【要約】【課題】番組の付加（補完）情報として提供した関連情報へのアクセスで、視聴者の興味が関連情報に移ってしまい、番組視聴を止めてしまうことを防止すること。【解決手段】放送信号に、番組の付加情報として提供するアクセス先情報と同時に、そのアクセス先情報へのアクセスを制限する制限情報を付加する。そして、放送番組の受信と同時に、番組の付加情報として提供されたアクセス先情報とその制限情報を受信し、アクセスする際に制限情報にしたがってアクセス制限をして、視聴者の興味がアクセス先の関連情報に移って番組視聴から離れようとした場合に、視聴者を番組視聴に自動的に引き戻す。これにより、番組視聴を継続させることができる。【選択図】      図１
2004172739.tif 000002
【特許請求の範囲】
【請求項１】
放送番組中の情報に関連したインターネット上のアクセス先情報と、そのアクセス先へのアクセスを制限する制限情報とが、放送番組信号に多重して放送された信号を受信し、前記アクセス先情報を利用してアクセスする場合に、前記制限情報に示された制限にしたがってアクセスが自動的に制限されるようにしたことを特徴とする放送信号受信方法。
【請求項２】
請求項１記載において、
前記放送番組信号とは、コマーシャル放送も含む視聴者に提供、提示される放送信号であることを特徴とする放送信号受信方法。
【請求項３】
請求項１または２項に記載において、
前記アクセス先情報とは、このアクセス先情報を提供する提供者のインターネット上のホームページアドレスであることを特徴とする放送信号受信方法。
【請求項４】
請求項１乃至３のいずれか１項に記載において、
前記制限情報は、前記アクセス先情報が示すアクセス先へのアクセスが許可される日付・時刻を示す情報、および／または、前記アクセス先情報が示すアクセス先へのアクセス時間長を示す情報を、含むものであることを特徴とする放送信号受信方法。
【請求項５】
請求項１乃至３のいずれか１項に記載において、
前記制限情報は、前記アクセス先情報が示すアクセス先とこのアクセス先のホームページがリンクする他のアクセス先への総計のアクセス回数を制限する情報を、含むものであることを特徴とする放送信号受信方法。
【請求項６】
請求項１乃至３のいずれか１項に記載において、
前記制限情報は、前記アクセス先情報の利用可能な範囲を制限する情報を、含むものであることを特徴とする放送信号受信方法。
【請求項７】
請求項６記載において、
前記アクセス先情報の利用可能な範囲とは、インターネット上のホームページの特定ページであることを特徴とする放送信号受信方法。
【請求項８】
請求項１乃至３のいずれか１項に記載において、
前記制限情報とは、請求項４に記載の制限情報、請求項５に記載の制限情報、請求項６に記載の制限情報のうちの、２つ以上が組み合わされた情報であることを特徴とする放送信号受信方法。
【請求項９】
放送番組中の情報に関連したインターネット上のアクセス先情報と、そのアクセス先へのアクセスを制限する制限情報とを、放送番組信号に多重して放送し、
前記制限情報は、前記アクセス先情報が示すアクセス先へのアクセスが許可される日付・時刻を示す情報、および／または、前記アクセス先情報が示すアクセス先へのアクセス時間長を示す情報を、含むもの、
または、前記制限情報は、前記アクセス先情報が示すアクセス先とこのアクセス先のホームページがリンクする他のアクセス先への総計のアクセス回数を制限する情報を、含むもの、
または、前記制限情報は、前記アクセス先情報の利用可能な範囲を制限する情報を、含むもの、
であることを特徴とする放送信号送信方法。
【請求項１０】
放送番組中の情報に関連したインターネット上のアクセス先情報と、そのアクセス先へのアクセスを制限する制限情報とが、放送番組信号に多重して放送された信号を受信する受信手段と、
前記受信した信号から前記アクセス先情報および前記制限情報を分離抽出する手段と、
抽出したアクセス先情報を解析し、視聴者にアクセス先情報の存在を提示させる手段と、
前記制限情報を解析し、視聴者がアクセス先情報を利用してアクセスする際に、解析した制限条件にしたがってアクセスを制限する手段とを、
備えたことを特徴とする放送信号受信装置。
【請求項１１】
請求項１０記載において、
前記制限情報は、前記アクセス先情報が示すアクセス先へのアクセスが許可される日付・時刻を示す情報、および／または、前記アクセス先情報が示すアクセス先へのアクセス時間長を示す情報を、含むもの、
または、前記制限情報は、前記アクセス先情報が示すアクセス先とこのアクセス先のホームページがリンクする他のアクセス先への総計のアクセス回数を制限する情報を、含むもの、
または、前記制限情報は、前記アクセス先情報の利用可能な範囲を制限する情報を、含むもの、
であることを特徴とする放送信号受信装置。
【発明の詳細な説明】
【０００１】
【発明の属する技術分野】
本発明は、放送信号受信方法および放送信号送信方法および放送信号受信装置に係り、特に、テレビジョン放送における情報バラエティ、ドラマ、ドキュメンタリー、あるいはコマーシャル（以下、ＣＭと記す）などの番組放送において、放送番組中の情報に関連したインターネット上のアクセス先情報を放送番組信号に多重して放送し、このアクセス先情報を用いた視聴者のアクセスに、自動的に制限をかけるようにした技術に関するものである。なお、本明細書で言う放送番組信号とは、ＣＭ放送も含む視聴者に提供、提示される放送信号を指し示し、ＣＭ放送も放送番組の範疇に含まれるものである。
【０００２】
【従来の技術】
近年、テレビジョン放送やラジオ放送がデジタル化され、映像や音声と同時に大量のデジタルデータを放送できるようになり、放送番組内容に関連したデジタルデータを放送し、受信機で放送番組の再生と同時に、デジタルデータを再生することで、クイズ番組への視聴者の参加や、ＣＭのより詳細な情報の提供など、様々な放送サービスが行われるようになってきている。
【０００３】
さらに、これらの放送は、一般的には実時間（リアルタイム）で行われており、その提供コンテンツおよびＣＭ情報は、放送終了とともに失われるため、後で興味を抱いたコンテンツやＣＭなどの情報を得るために、放送時点において、インターネットによって関連情報を得られる場所の情報（ＵＲＬ（Ｕｎｉｆｏｒｍ  Ｒｅｓｏｕｒｃｅ  Ｌｏｃａｔｏｒ））を記録しておき、知りたい時にその記録しておいたＵＲＬを元に情報を得る方法も考えられている。
【０００４】
一方、コンピュータとインターネットの発達により、様々な情報がホームページという形で提供されており、それら情報は相互に、あるいは一方向にリンクが張られ、これを辿ることで興味あるコンテンツ情報を次々と得ることができる。
【０００５】
これらのことから、放送番組内容に関連した番組関連情報を放送するだけでは、視聴者にとっては、情報の取得には自ずと限界があり、また一過性でもあるため、その番組関連情報の詳細を得られる場所としてインターネット上のＵＲＬを指し示し、インターネットのホームページから詳細な番組関連情報を提供するサービスも考えられている（例えば、特許文献１参照）。
【０００６】
【特許文献１】
特開２００２−１５２６９２号公報
【０００７】
【発明が解決しようとする課題】
上記の引用文献１によるサービスは、限られた時間内の放送による番組関連情報だけでなく、いつでもアクセスできるインターネットを利用するようにした点で優れている。しかし、放送番組を視聴中にインターネット上の情報を閲覧し、そのホームページ上にさらに視聴者の興味を引くコンテンツがあった場合には、そのコンテンツのリンクをさらに辿って様々な情報を得ることに興味が移ってしまい、番組を視聴しなくなる可能性がある。放送事業者にとって、番組と同時に番組関連情報を放送、あるいは番組内容に関連する情報を得られる場所の情報（アクセス先情報）を放送することは、視聴者への放送サービスの拡充であるが、視聴者には番組を継続して視聴してもらいたいというのが、放送事業者にとっては本音であって、インターネットへの視聴者の流出を避けたいところである。
【０００８】
すなわち、従来は補完情報であったものが、視聴者の興味・嗜好によってこちらが主となってしまい、視聴者が番組から離れていってしまうことを防ぐ手段がないという問題があった。
【０００９】
本発明は上記の点に鑑みなされたもので、その目的とするところは、放送番組中の情報に関連したインターネット上のアクセス先情報を、放送番組信号に多重して放送するようにした構成において、アクセス先情報を利用したインターネット上のホームページの閲覧に視聴者の興味が移って、番組視聴から離れようとした場合でも、視聴者を番組視聴へ引き戻すことができるようにし、以って、放送事業者の要望である番組視聴を継続させることができるようにすることにある。
【００１０】
【課題を解決するための手段】
上記した目的を達成するために、本願による情報アクセス制限方法の代表的な１つの発明では、放送番組中の情報に関連したインターネット上のＵＲＬ等のアクセス先情報と、そのアクセス先へのアクセスを制限する制限情報とが、放送番組信号に多重して放送された信号を受信し、アクセス先情報を利用してアクセスする場合に、制限情報に示された制限にしたがってアクセスが自動的に制限される。
【００１１】
【発明の実施の形態】
以下、本発明の実施の形態を、図面を用いて説明する。
【００１２】
図１は、本発明の一実施形態に係る放送送受信／ネット通信システムの概要を示す構成図である。
【００１３】
図１において、１０１は放送局（放送設備）、１１１は広告主、１１２は広告主１１１がインターネット上に設けたホームページ、１２１はインターネット、１３１は受信機である。また、放送局１０１内において、１０２はアクセス先情報付加処理部、１０３は制限情報付加処理部であり、受信機１３１内において、１３２はアクセス先情報処理部、１３３は制限情報処理部である。
【００１４】
以下、本実施形態の動作の概要を図１を用いて説明する。放送局１０１は、放送している番組に対して、その番組中の情報に関連したアクセス先情報（以下、ＵＲＬと記す）を、アクセス先情報付加処理部１０２により付加し、放送番組信号に多重して放送する。この場合に、前記ＵＲＬへのアクセス制限情報を、制限情報付加処理部１０３により同時に付加し、放送番組信号に多重して放送する。
【００１５】
前記アクセス制限情報としては、例えば、アクセス可能な時刻またはアクセス時間長を制限する情報、リンクされたＵＲＬを辿る指示回数を制限する情報、ＵＲＬで指示できる範囲を制限する情報、などが考えられるが、これらに限るわけではなく、また、これらの組み合せでも良いことは言うまでもない。また、前記アクセス先情報（ＵＲＬ）は、例えば、番組が旅情報番組などであれば、番組中に紹介する宿などのホームページのＵＲＬであり、番組がＣＭであれば、ＣＭしている商品情報を紹介するホームページのＵＲＬ、もしくはそのメーカのホームページのＵＲＬ、などであり、広告主１１１がＵＲＬ（アクセス先情報）の提供者となる。つまり、広告主１１１は、アクセス先情報として、具体的には、その番組中の情報に関連した詳細情報が得られる広告主１１１のホームページ１１２のＵＲＬを提供する。放送局１０１は、提供されたＵＲＬに対して、広告主１１１との契約に従って、前記例に挙げたようなアクセス制限情報を作成して、これをＵＲＬとともに、放送番組信号に付加・多重する。
【００１６】
受信機１３１は放送を受信して、付加情報を抽出し、これを解析する。アクセス先情報解析処理部１３２は、付加情報からアクセス先情報を抽出して解析するとともに、視聴者にアクセス先情報の存在を提示する。また、アクセス制限情報処理部１３３は、付加情報からアクセス制限情報を抽出して解析し、視聴者がアクセス先情報に基づきアクセスを始めた場合に、その制限情報に応じてアクセス制限をして、番組視聴へと引き戻す。
【００１７】
アクセス制限情報の１例として、アクセス可能な日付・時刻や、アクセス可能な（接続可能な）時間長を制限する場合を、図２に示し説明する。
【００１８】
旅情報番組２００が、２００２年１１月０３日の２０：００〜２０：５４に放送され、その番組の中で紹介する宿のホームページのＵＲＬ２０１と同時に、そのＵＲＬへのアクセス制限情報として、以下に示す情報を、放送番組信号に付加・多重して放送する。つまり、アクセス制限情報として、本例では、アクセス許可フラグ２０２と、番組放送中においてアクセスが許可開始される時刻２０３と、その許可開始される時刻からアクセスを行うことが可能な時間長２０４（番組放送中においてアクセスが許可開始されてから許可が取り消されるまでの時間長であり、これに代替して、アクセス許可が取り消される時刻としてもよい）と、番組放送中においてアクセス（接続）が許可される最大の時間長２０５と、番組放送終了後においてアクセスが許可開始される日時・時刻２０６と、その許可開始される時刻からアクセスを行うことが可能な時間長２０７（番組放送終了後にアクセスが許可開始されてから許可禁止されるまでの時間長であり、これに代替して、許可が取り消される日時・時刻としてもよい）と、番組放送終了後においてアクセス（接続）が許可される最大の時間長２０８とが、設定されている。
【００１９】
受信機１３１では、上記のようなＵＲＬ（アクセス先情報）とアクセス制限情報とを抽出・解析し、視聴者にアクセス先情報の存在を提示する。図２に示した例では、アクセス許可フラグ２０２が許可であり、その後に示される各情報２０３〜２０８はアクセス制限条件である。旅情報番組２００において、２０：１７より宿の紹介が始まり、これと同時に、宿に関するＵＲＬが存在することを画面上に提示し、視聴者に対しては、２０：１７よりＵＲＬへのアクセスが許可される。そして、この宿の紹介時間の９分間はアクセスが可能であるが、アクセスして３０秒を経過すると、番組視聴へ戻ることを指示する。また、番組終了の２００２年１１月０３日，２０：５４以降は、自由にアクセスすることが可能であるが、その情報提供期間は１週間である。なお、番組終了後にアクセスする場合には、視聴者が番組放送中にリモコンなどを適宜に操作することによって、画面と対話式にその存在を提示されたＵＲＬを、受信機１３１のメモリに格納しておくことになる。
【００２０】
つまり、図２に示した本例では、番組中にＵＲＬの存在を紹介した後、そのＵＲＬへのアクセス（接続）が最大３０秒間許可され、３０秒を経過すると番組視聴へ自動的に戻るようにされる。また、番組が終了すると、そのＵＲＬのホームページは、指定期日内であれば自由に閲覧可能となる。このように本例によれば、番組内で次々と情報を紹介していく場合に、視聴者がある情報に興味を抱いてその詳細情報を得るためにＵＲＬへアクセスした場合でも、３０秒後には元の番組視聴へ引き戻すので、視聴者に番組視聴を続けさせることが可能となる。
【００２１】
アクセス制限情報の他の１例として、ＵＲＬを辿る指示の回数を制限する場合を、図３に示し説明する。
【００２２】
図３に示した本例では、情報バラエティー番組３００に、ＵＲＬ（アクセス先情報）３０１と、そのアクセス制限情報３０２とを付加している。図３に示した本例でのアクセス制限情報３０２は、ＵＲＬを辿る指示の回数を制限する情報となっており、ここでは２回としてある。つまり、本例では、番組に付随したＵＲＬ３０１へのアクセスと、そのＵＲＬ３０１のホームページで示されてリンクする他のＵＲＬへのアクセスは１回許可されるが、さらに、２回目として別の、あるいは、その先のＵＲＬを指示した場合に、ＵＲＬを辿ることなく番組視聴へ引き戻すようになっている。
【００２３】
これにより、視聴者がネットサーフィンを行って次々とリンクを辿ってアクセスすることを制限でき、番組視聴を続けさせることが可能となる。
【００２４】
アクセス制限情報のさらに他の１例として、ＵＲＬで指示できる範囲を制限する場合を、図４に示し説明する。
【００２５】
図４に示した本例では、詳細情報付き子供向け番組４００に、詳細情報へのアクセス先情報４０１として／／ｗｗｗ．ｔｏｙｓ．ｃｏｍ／ａｎｉｍｅ＿ｃｈａｒ＿１／ｉｎｆｏ＿ａ１と、そのアクセス制限情報４０２として／／ｗｗｗ．ｔｏｙｓ．ｃｏｍ／ａｎｉｍｅ＿ｃｈａｒ＿１／とを、付加している。例えば、アクセス先情報４０１は子供向け番組４００の関連商品のホームページであり、これを提供している玩具メーカは、他の番組の関連商品も別のホームページで紹介していても、この番組を放送している間は、アクセス制限情報４０２によってアクセスできないようにすることができ、このロケーションａｍｉｎｅ＿ｃｈａｒ＿１／以下から外れたＵＲＬを指示した場合には、元の番組視聴へ引き戻すようになっている。
【００２６】
これにより、視聴者が番組に付随して提供した情報以外までアクセスしようとした場合に、そのアクセスを制限し、番組視聴を続けさせることが可能となる。
【００２７】
図５は、本実施形態のシステムにおいて適用される、図２に示したアクセス制限情報を用いたアクセス制限の処理が可能な受信装置の構成の１例を示すブロック図である。
【００２８】
図５において、５００は受信装置であり、放送を受信するチューナ５０１と、限定受信を実現するスクランブルを解除するデスクランブラ５０２と、例えばＭＰＥＧ方式により多重された映像・音声・付加データから所望するそれらを分離する多重分離部５０３と、映像・音声を復号する復号部５０４と、復号した映像・音声と受信装置内で作成した信号とを混合するＭｉｘ部５０５と、受信装置を制御するＣＰＵ５０６とによって、放送を受信して、図示せぬ表示装置に番組を提示する。本受信装置５００は、さらに、受信・提示している番組に付加されたアクセス先情報を解析し、視聴者にアクセス先情報の存在を提示するアクセス先情報処理部５１１と、前記アクセス先情報と同時に付加されているアクセス制限情報を解析し、アクセス制限を行う制限情報処理部５１２と、制限条件を監視するための時刻／カウンタ処理部５１３と、視聴者からのリモコン操作などによるインターネットアクセス指示を受けてインターネットへのアクセスを行い、それを提示するインターネット接続／提示処理部５１４とを、備えている。
【００２９】
時刻／カウンタ処理部５１３は時刻情報を持ち、指示により時間経過を計測する。制限情報処理部５１２は、アクセス許可フラグ２０２とアクセス制限条件に関する情報２０３〜２０８とより、時刻／カウンタ処理部５１３に「２０時１７分」の通知要求を行い、この時間になると、時刻／カウンタ処理部５１３は、ＣＰＵ５０６に対してアクセス許可を通知する。これを受けて、ＣＰＵ５０６は、アクセス先情報処理部５１１、Ｍｉｘ部５０５に指示を出し、「宿情報１」のホームページへのアクセス先情報（ＵＲＬ）が存在することを、例えば、図８の（ａ）に示すように、表示装置の表示画面８００上に、旅情報番組の表示内容８０１とともに、アクセス先情報の存在情報８０２を、ＯＳＤ機能によって重畳させて表示させる。図８の（ａ）に示した例では、アクセス先情報の存在情報８０２は、「宿情報１」と、そのアクセス許可時間帯である「２０：１７〜２０：２６」とで示されており、このアクセス先情報の存在情報８０２は、２０時２６分を超えると、消去されるようになっている。この図８の（ａ）のように、アクセス先が単一である場合には、視聴者がリモコンのインターネットアクセス指示キーをプッシュするだけで、アクセス先情報の存在情報８０２に対応するＵＲＬへのアクセスが自動的に行われるようになっている。なお、アクセス先情報の存在する旨の表示形態は任意であるが、ユーザサービスの観点からは、視聴者が容易に認識できる形態であることが望ましい。
【００３０】
なおまた、アクセス先情報が複数存在する場合には、例えば、「宿情報１」、「宿情報２」、「宿情報３」…などと提示し、これらからリモコンのカーソルキーで所望のものを選択した後、リモコンのインターネットアクセス指示キーをプッシュすることで、アクセスが開始されるようにすればよい。さらにまた、番組終了後にアクセスする場合には、リモコンのＵＲＬ登録キーをプッシュすることで、所望するアクセス先のＵＲＬがメモリに格納されるようにすればよい。
【００３１】
いま、視聴者が、図８の（ａ）のようにアクセス先情報の存在情報８０２が表示されている間に（つまり、ＵＲＬへのアクセスが許可されている９分以内に（２０時２６分までに））、アクセス指示を出すと、インターネット接続／提示処理部５１４は、アクセス先情報処理部５１１で検出したＵＲＬ２０１へ自動的にアクセスする。そして、インターネット接続／提示処理部５１４は、このアクセスしたホームページから取得した画像８０３を、例えば図８の（ｂ）に示すように、表示装置の表示画面８００上に、旅情報番組の表示内容８０１とともに、Ｍｉｘ部５０５のＯＳＤ機能によって重畳させて表示させる（あるいは、アクセスしたホームページから取得した画像８０３のみを、表示画面８００上に表示させる）。このとき、ホームページから取得した画像８０３には、このホームページへの残りのアクセス許可時間８０３−１を表示することによって、視聴者に対して、残りのアクセス時間を知らせるようにすると、ユーザフレンドリィなものとなる。
【００３２】
一方、リモコンによる視聴者のアクセス指示は、制限情報処理部５１２へも伝えられる。これを受けて、制限情報処理部５１２は、アクセス制限条件の情報２０４に基づき、時刻／カウンタ処理部５１３に３０秒の計測を要求する。ホームページへのアクセス後、３０秒が経過する前に、視聴者が番組視聴に戻る操作を行った場合、これを認知した制限情報処理部５１２は、時刻／カウンタ処理部５１３の３０秒の計測カウンタを一時停止させる（または、３０秒の計測カウンタをクリアさせる）。そして、時刻／カウンタ処理部５１３は、３０秒の計測カウンタがカウントアップした場合、もしくは、２０時２６分に至ると、この旨を、制限情報処理部５１２に通知する。これを受けて、制限情報処理部５１２は、ＣＰＵ５０６に対して、現在インターネット情報を提示している場合には、放送番組の提示へ切り替えるように指示を出し、ＣＰＵ５０６は、インターネット接続／提示処理部５１４やＭｉｘ部５０５を制御して、インターネット情報を提示していた場合には、番組提示へと切り替える。ここで、インターネット情報を提示している状態から、放送番組の提示へと切り替える場合には、図８の（ｃ）に示すように、「アクセス許可された条件を外れたので放送番組の提示に戻ります」などのメッセージ８０５を表示して、視聴者に不安感や疑問を抱かせないようにすることが望ましい。
【００３３】
なお、アクセス制限条件の情報２０６〜２０８の場合も同様な処理であるが、アクセス可能時間長制限「２」２０８は制限なしなので、カウンタによるアクセス経過時間の計測は行われない。
【００３４】
このように図５に示した受信装置により、インターネットアクセスを制限する付加情報を検出し、アクセス制限を行うことができるので、視聴者を番組視聴へ自動的に引き戻すことが可能となる。
【００３５】
図６は、本実施形態のシステムにおいて適用される、図３に示したアクセス制限情報を用いたアクセス制限の処理が可能な受信装置の構成の１例を示すブロック図である。
【００３６】
図６において、６００は受信装置であり、時刻／カウンタ処理部５１３の代わりにインターネットのアクセス指示回数を計測するカウンタ６１３を備えた点を除いて、受信装置５００と同じであり、同一構成要素には同一符号を付し、その説明は重複を避けるため割愛する。
【００３７】
カウンタ６１３は、視聴者のインターネットアクセス指示回数を計測する。この計測結果は制限情報処理部５１２へ通知され、制限情報処理部５１２はアクセス許可回数３０２と前記通知された視聴者の指示回数を比較し、許可回数を超えた場合には、アクセス禁止をＣＰＵ５０６へ通知する。ＣＰＵ５０６は、本通知を受けた時点でインターネット情報の提示を終了し、番組提示へ切り替える。なお、この場合にも、「アクセス許可された条件を外れたので放送番組の提示に戻ります」などのメッセージを表示することが望ましい。
【００３８】
このように図６に示した受信装置によっても、インターネットアクセスを制限する付加情報を検出し、アクセス制限を行うことができるので、視聴者を番組視聴へ自動的に引き戻すことが可能となる。
【００３９】
図７は、本実施形態のシステムにおいて適用される、図４に示したアクセス制限情報を用いたアクセス制限の処理が可能な受信装置の構成の１例を示すブロック図である。
【００４０】
図７において、７００は受信装置であり、時刻／カウンタ処理部５１３がないことと、インターネット接続／提示処理部５１４の代わりに、同等機能とユーザ指示によりアクセスするＵＲＬをアクセス前に制限情報処理部５１２へ通知するインターネット接続／提示処理部７１４を設けた点を除いて、受信装置５００と同じであり、同一構成要素には同一符号を付し、その説明は重複を避けるため割愛する。
【００４１】
インターネット接続／提示処理部７１４は、視聴者が指示したＵＲＬをアクセスする前に、制限情報処理部５１２へ通知する。これを受けて、制限情報処理部５１２は、アクセス許可範囲情報４０２と前記通知されたＵＲＬとを比較し、許可範囲外であれば、アクセス禁止をＣＰＵ５０６へ通知する。ＣＰＵ５０６は、本通知を受けた時点でインターネット情報の提示を終了し、番組提示へ切り替える。なお、この場合にも、「アクセス許可された条件を外れたので放送番組の提示に戻ります」などのメッセージを表示することが望ましい。
【００４２】
このように図７に示した受信装置によっても、インターネットアクセスを制限する付加情報を検出し、アクセス制限を行うことができるので、視聴者を番組視聴へ自動的に引き戻すことが可能となる。
【００４３】
以上の説明では、アクセス制限情報として図２乃至４を、受信装置として図５乃至７をそれぞれ独立して示したが、本発明では、アクセス制限情報はこれらの組み合せでもあってよく、これに応じて受信装置においても、組み合わされたアクセス制限情報を処理するように機能を組み合わればよいことは言うまでもない。また、アクセス制限情報としては、上述した例に限られるわけではなく、アクセス先情報の利用を制限する情報と、その制限情報を処理する機能を備えた受信装置を備えれば、本発明は実現可能である。
【００４４】
【発明の効果】
以上のように本発明によれば、放送番組中の情報に関連したインターネット上のアクセス先情報を、放送番組信号に多重して放送するようにした構成において、アクセス先情報を利用したインターネット上のホームページの閲覧に視聴者の興味が移って、番組視聴から離れようとした場合でも、視聴者を番組視聴へ自動的に引き戻すことができるので、放送事業者の目的である番組視聴を継続させることが可能となる。
【図面の簡単な説明】
【図１】本発明の一実施形態に係る放送送受信／ネット通信システムの概要を示す構成図である。
【図２】本発明の一実施形態に係る放送送受信／ネット通信システムで使用する、アクセス制限情報の例を示す説明図である。
【図３】本発明の一実施形態に係る放送送受信／ネット通信システムで使用する、アクセス制限情報の例を示す説明図である。
【図４】本発明の一実施形態に係る放送送受信／ネット通信システムで使用する、アクセス制限情報の例を示す説明図である。
【図５】本発明の一実施形態に係る放送送受信／ネット通信システムで使用する、受信装置の構成例を示すブロック図である。
【図６】本発明の一実施形態に係る放送送受信／ネット通信システムで使用する、受信装置の構成例を示すブロック図である。
【図７】本発明の一実施形態に係る放送送受信／ネット通信システムで使用する、受信装置の構成例を示すブロック図である。
【図８】本発明の一実施形態に係る放送送受信／ネット通信システムにおける、受信装置側の表示例を示す説明図である。
【符号の説明】
１０１  放送局
１０２  アクセス先情報付加処理部
１０３  制限情報付加処理部
１１１  広告主
１１２  ホームページ
１２１  インターネット
１３１  受信機
１３２  アクセス先情報処理部
１３３  制限情報処理部
５００  受信装置
５０１  チューナ
５０２  デスクランブラ
５０３  多重分離部
５０４  復号部
５０５  Ｍｉｘ部
５０６  ＣＰＵ
５１１  アクセス先情報処理部
５１２  制限情報処理部
５１３  時刻／カウンタ処理部
５１４  インターネット接続／提示処理部
６００  受信装置
６１３  カウンタ
７００  受信装置
７１４  インターネット接続／提示処理部
【図１】
2004172739.tif 000003
【図２】
2004172739.tif 000004
【図３】
2004172739.tif 000005
【図４】
2004172739.tif 000006
【図５】
2004172739.tif 000007
【図６】
2004172739.tif 000008
【図７】
2004172739.tif 000009
【図８】
2004172739.tif 000010